(57)【要約】【課題】プロテクタをワイヤーハーネスに取り付ける際の作業性を向上することが可能な技術を提供する。【解決手段】枝線配線部２００にはワイヤーハーネス１の枝線３が配線される。狭持部９００は、枝線配線部２００に配線された枝線３を狭持する。壁部５００は、枝線配線部２００に対して第２ヒンジ部６００によって連結され、枝線配線部２００の開口２３１を塞ぐように閉まる。壁部５００は、狭持部９００で狭持された枝線３が蛇行するように、当該壁部５００が閉まった際に当該枝線３を枝線配線部２００の内面に押し付ける押圧部５１０を有する。【選択図】図８
2014023380.tif 000002
【特許請求の範囲】
【請求項１】
幹線から枝線が分岐しているワイヤーハーネスを保護するためのワイヤーハーネス用プロテクタであって、
前記枝線が配線される枝線配線部と、
前記枝線配線部に配線された前記枝線を狭持する狭持部と、
前記枝線配線部に対してヒンジ部によって連結され、前記枝線配線部の第１開口を塞ぐように閉まる壁部と
を備え、
前記壁部は、前記狭持部で狭持された前記枝線が蛇行するように、当該壁部が閉まった際に当該枝線を前記枝線配線部の内面に押し付ける押圧部を有する、ワイヤーハーネス用プロテクタ。
【請求項２】
請求項１に記載のワイヤーハーネス用プロテクタであって、
前記押圧部は、前記枝線を前記枝線配線部の内面に押し付ける二つの山部を有するＭ字状を成しており、
前記押圧部は、前記二つの山部が互いに近づいて当該二つの山部の高さが低くなるように変形可能である、ワイヤーハーネス用プロテクタ。
【請求項３】
請求項１及び請求項２のいずれか一つに記載のワイヤーハーネス用プロテクタであって、
前記枝線配線部の第２開口を塞ぐ蓋部と、
前記蓋部が前記第２開口を塞いだ状態を維持するロック部と
を備え、
前記ロック部は、互いに嵌合する第１及び第２嵌合部を有し、
前記第１嵌合部は、前記壁部に設けられ、
前記壁部においては、内側部分に前記押圧部が位置し、外側部分に前記第１嵌合部が位置する、ワイヤーハーネス用プロテクタ。
【請求項４】
請求項１乃至請求項３のいずれか一つに記載のワイヤーハーネス用プロテクタと、
前記ワイヤーハーネス用プロテクタが取り付けられた、幹線から枝線が分岐したワイヤーハーネスと
を備える、プロテクタ付きワイヤーハーネス。
【発明の詳細な説明】
【技術分野】
【０００１】
本発明は、ワイヤーハーネスに関する。
【背景技術】
【０００２】
従来からワイヤーハーネスに関して様々な技術が提案されている。例えば特許文献１〜３には、ワイヤーハーネスを保護するためのプロテクタが開示されている。
【先行技術文献】
【特許文献】
【０００３】
【特許文献１】特開２００４−１６６４５４号公報
【特許文献２】特開２００４−３１２９３７号公報
【特許文献３】特開２００１−１６９４３２号公報
【発明の概要】
【発明が解決しようとする課題】
【０００４】
ワイヤーハーネスにおいては、幹線から枝線が分岐されることがある。特許文献１に記載の技術を使用して、ワイヤーハーネスの枝線を蛇行させるようにプロテクタ内に配線する場合には、枝線をプロテクタ内に配線しにくくなる。よって、プロテクタをワイヤーハーネスに取り付けにくくなる。
【０００５】
そこで、本発明は上述の点に鑑みて成されたものであり、プロテクタをワイヤーハーネスに取り付ける際の作業性を向上することが可能な技術を提供することを目的とする。
【課題を解決するための手段】
【０００６】
第１の態様に係るワイヤーハーネス用プロテクタは、幹線から枝線が分岐しているワイヤーハーネスを保護するためのワイヤーハーネス用プロテクタであって、前記枝線が配線される枝線配線部と、前記枝線配線部に配線された前記枝線を狭持する狭持部と、前記枝線配線部に対してヒンジ部によって連結され、前記枝線配線部の第１開口を塞ぐように閉まる壁部とを備え、前記壁部は、前記狭持部で狭持された前記枝線が蛇行するように、当該壁部が閉まった際に当該枝線を前記枝線配線部の内面に押し付ける押圧部を有する。
【０００７】
第２の態様に係るワイヤーハーネス用プロテクタは、第１の態様に係るワイヤーハーネス用プロテクタであって、前記押圧部は、前記枝線を前記枝線配線部の内面に押し付ける二つの山部を有するＭ字状を成しており、前記押圧部は、前記二つの山部が互いに近づいて当該二つの山部の高さが低くなるように変形可能である。
【０００８】
第３の態様に係るワイヤーハーネス用プロテクタは、第１及び第２の態様のいずれか一つに係るワイヤーハーネス用プロテクタであって、前記枝線配線部の第２開口を塞ぐ蓋部と、前記蓋部が前記第２開口を塞いだ状態を維持するロック部とを備え、前記ロック部は、互いに嵌合する第１及び第２嵌合部を有し、前記第１嵌合部は、前記壁部に設けられ、前記壁部においては、内側部分に前記押圧部が位置し、外側部分に前記第１嵌合部が位置する。
【０００９】
第４の態様に係るプロテクタ付きワイヤーハーネスは、第１乃至第３の態様のいずれか一つに係るワイヤーハーネス用プロテクタと、前記ワイヤーハーネス用プロテクタが取り付けられた、幹線から枝線が分岐したワイヤーハーネスとを備える。
【発明の効果】
【００１０】
第１乃至第４の態様によれば、壁部を閉めることによって、枝線配線部に配線された枝線を蛇行することができることから、簡単に、枝線が蛇行するようにワイヤーハーネス用プロテクタをワイヤーハーネスに取り付けることができる。よって、ワイヤーハーネス用プロテクタをワイヤーハーネスに取り付ける際の作業性が向上する。
【００１１】
特に第２の態様によれば、枝線の径が大きい場合であっても、押圧部が枝線を枝線配線部の内面に押し付ける力が大きくなることを抑制することができる。よって、枝線が損傷することを抑制することができる。また、枝線の径が大きいために壁部が閉まらないといったことが発生することを抑制することができる。
【００１２】
特に第３の態様によれば、壁部においては、内側部分に押圧部が位置し、外側部分に第１嵌合部が位置するため、壁部の高さまで押圧部を高くすることができる。したがって、押圧部によって枝線をしっかりと枝線配線部の内面に対して押し付けることができる。よって、枝線の位置がずれることを抑制することができる。
【図面の簡単な説明】
【００１３】
【図１】プロテクタ付きワイヤーハーネスを示す斜視図である。
【図２】ワイヤーハーネス用プロテクタを示す斜視図である。
【図３】ワイヤーハーネス用プロテクタを示す平面図である。
【図４】ワイヤーハーネス用プロテクタを示す平面図である。
【図５】ワイヤーハーネス用プロテクタの一部を拡大して示す平面図である。
【図６】ワイヤーハーネス用プロテクタの一部を拡大して示す平面図である。
【図７】ワイヤーハーネス用プロテクタをワイヤーハーネスに取り付ける様子を示す図である。
【図８】ワイヤーハーネス用プロテクタをワイヤーハーネスに取り付ける様子を示す図である。
【図９】押圧部が枝線を枝線配線部の内面に押し付けている様子を示す図である。
【発明を実施するための形態】
【００１４】
図１は実施の形態に係るワイヤーハーネス用プロテクタ１０が取り付けられたワイヤーハーネス１（以後、「プロテクタ付きワイヤーハーネス１」と呼ぶ）を示す斜視図である。図２，３は、それぞれ、ワイヤーハーネス用プロテクタ１０を示す斜視図及び平面図である。プロテクタ付きワイヤーハーネス１は、例えば自動車等の車両内に配策される。以後、ワイヤーハーネス用プロテクタ１０を単に「プロテクタ１０」と呼ぶ。
【００１５】
ワイヤーハーネス１は、複数の電線が束ねられた電線束を備えている。本実施の形態に係るワイヤーハーネス１では、幹線２から枝線３が分岐している。枝線３には、幹線２に含まれる複数の電線から分岐した少なくとも一つの電線が含まれている。幹線２では、複数の電線に粘着テープを巻き付けても良いし、複数の電線をチューブ状部材等の被覆部材で覆っても良い。同様に、枝線３では、少なくとも一つの電線に粘着テープを巻き付けても良いし、少なくとも一つの電線をチューブ部材等の被覆部材で覆っても良い。本実施の形態に係る枝線３では、例えばＰＶＣ（ポリ塩化ビニル）あるいはポリエチレンで形成されたチューブ状部材で少なくとも一つの電線が覆われている。
【００１６】
プロテクタ１０には、幹線２が配線される幹線配線部１００と、枝線３が配線される枝線配線部２００とが設けられている。また、プロテクタ１０には、枝線配線部２００の上面の開口２０１を塞ぐ（覆う）蓋部３００と、蓋部３００と枝線配線部２００とを連結する第１ヒンジ部４００とが設けられている。また、プロテクタ１０には、枝線配線部２００の側面の開口２３１を塞ぐ壁部５００と、壁部５００と枝線配線部２００を連結する第２ヒンジ部６００とが設けられている。そして、プロテクタ１０には、蓋部３００が枝線配線部２００の上面の開口２０１を塞いだ状態を維持するロック部８００（図１参照）と、係止解除防止突起部８５０とが設けられている。ロック部８００は、雄嵌合部７００と、壁部５００に設けられた雌嵌合部５２０とで構成されている。
【００１７】
幹線配線部１００は、一方向に長い直方体において、上面及び長手方向での両側面が開口するとともに、短手方向での一方側面が部分的に開口した形状を成している。幹線配線部１００は、底部１１０と、底部１１０における短手方向の両端部上にそれぞれ立設された、互いに対向する第１側壁部１２０及び第２側壁部１３０とを備えている。第１側壁部１２０は部分的に開口している。底部１１０、第１側壁部１２０及び第２側壁部１３０で囲まれた空間に幹線２が配線される。
【００１８】
枝線配線部２００は、直方体において、上面及び一方向での両側面が開口するとともに、当該一方向に垂直な他方向での一方側面が部分的に開口した形状を成している。枝線配線部２００の当該一方向での一方側面の開口と、幹線配線部１００の第１側壁部１２０の部分開口とが繋がるように、枝線配線部２００は、幹線配線部１００の第１側壁部１２０から外側に向けて、当該第１側壁部１２０に対して垂直な方向に延びている。
【００１９】
枝線配線部２００は、底部２１０と、底部２１０における一方向の両端部上にそれぞれ立設された、互いに対向する第１側壁部２２０及び第２側壁部２３０とを備えている。底部２１０、第１側壁部２２０及び第２側壁部２３０のそれぞれは、幹線配線部１００の第１側壁部１２０と垂直を成すように当該第１側壁部１２０に繋がっている。第２側壁部２３０は、部分的に開口しており、上記の開口２３１を有している。この開口２３１は壁部５００で塞がれる。第２側壁部２３０は、開口２３１を間に挟む第１部分２３２及び第２部分２３３を有している。第１部分２３２は、幹線配線部１００の第１側壁部１２０に繋がっており、枝線配線部２００における、枝線３の導入口２０３側に位置している。第２部分２３３は、枝線配線部２００における、枝線３の導出口２０２側に位置している。底部２１０、第１側壁部２２０及び第２側壁部２３０で込まれた空間に枝線３が配線される。以後、第２側壁部２３０の開口２３１を「側面開口２３１」と呼ぶ。
【００２０】
蓋部３００は、第１ヒンジ部４００によって枝線配線部２００の第１側壁部２２０に連結されている。第１ヒンジ部４００は、繰り返し折れ曲がることが可能となっている。蓋部３００は、第１ヒンジ部４００の働きによって開閉することが可能である。つまり、蓋部３００は、第１ヒンジ部４００の働きによって、枝線配線部２００の上面の開口２０１を塞いだり、塞がなかったりすることが可能である。
【００２１】
ロック部８００は、蓋部３００が閉じた状態、つまり蓋部３００によって枝線配線部２００の上面の開口２０１が覆われた状態を維持するための部分である。ロック部８００の雄嵌合部７００は、蓋部３００における、第１ヒンジ部４００側とは反対側の一端に繋がっている。雄嵌合部７００が、壁部５００に設けられた雌嵌合部５２０の挿入穴５２１に挿入されると、蓋部３００が枝線配線部２００の上面の開口２０１を塞ぐようになるとともに、雄嵌合部７００の係止突起部７１０が雌嵌合部５２０の第１側壁部５２２の底面と係止するようになる。これにより、蓋部３００が閉じた状態、つまり蓋部３００が枝線配線部２００の上面の開口２０１を塞いだ状態が維持される。
【００２２】
壁部５００は、第２ヒンジ部６００によって、枝線配線部２００の第２側壁部２３０の第２部分２３３に連結されている。第２ヒンジ部６００は、繰り返し折れ曲がることが可能となっている。壁部５００は、第２ヒンジ部６００の働きによって開閉することが可能である。つまり、壁部５００は、第２ヒンジ部６００の働きによって、枝線配線部２００の第２側壁部２３０の側面開口２３１を塞いだり、塞がなかったりすることが可能である。
【００２３】
図４は、壁部５００が開いた状態でのプロテクタ１０を示す平面図である。壁部５００には、ロック部８００の一部を構成する雌嵌合部５２０と、壁部５００が閉じた際に枝線３を枝線配線部２００の内面に押し付ける押圧部５１０とが設けられている。押圧部５１０は、枝線配線部２００の第２側壁部２３０の第１部分２３２に係止することが可能である。押圧部５１０が第１部分２３２に係止することによって、壁部５００が閉じた状態、つまり枝線配線部２００の側面開口２３１を塞いだ状態が維持される。また壁部５００には、第１部分２３２に対する押圧部５１０の係止を解除するための係止解除部５３０が設けられている。
【００２４】
図５は、プロテクタ１０の壁部５００付近を拡大して示す図である。壁部５００では、内側部分に押圧部５１０が位置するとともに、外側部分に雌嵌合部５２０が位置している。雌嵌合部５２０は、直方体の上面及び底面が開口した形状を成している。雌嵌合部５２０には、その上面から底面まで貫通した挿入穴５２１が形成されている。雌嵌合部５２０には、挿入穴５２１を取り囲むように、第１側壁部５２２、第２側壁部５２３、第３側壁部５２４及び第４側壁部５２５が設けられている。
【００２５】
第１側壁部５２２及び第２側壁部５２３は互いに対向し、第３側壁部５２４及び第４側壁部５２５は互いに対向している。壁部５００が閉じられると、第３側壁部５２４及び第４側壁部５２５は、枝線３の導入口２０３から導出口２０２に向かう方向（図１，３，５での上下方向）に沿った方向で対向し、第４側壁部５２５が導入口２０３側に位置し、第３側壁部５２４が導出口２０２側に位置する。また、壁部５００が閉じられると、第１側壁部５２２及び第２側壁部５２３は、枝線３の導入口２０３から導出口２０２に向かう方向と枝線配線部２００の底部２１０に垂直な方向との両方に垂直な方向（図１，３，５での左右方向）で対向し、第１側壁部５２２が外側に位置し、第２側壁部５２３が内側に位置する。上述のように、雄嵌合部７００が雌嵌合部５２０の挿入穴５２１に挿入されると、雄嵌合部７００の係止突起部７１０が第１側壁部５２２の底面に係止する。以後、説明の便宜上、導入口２０３から導出口２０２に向かう方向に沿った方向を「上下方向」と呼び、導入口２０３から導出口２０２に向かう方向と枝線配線部２００の底部２１０に垂直な方向との両方に垂直な方向を「左右方向」と呼ぶ。また、上下方向及び左右方向に垂直な方向、つまり枝線配線部２００の底部２１０に垂直な方向を単に「垂直方向」と呼ぶ。
【００２６】
第２ヒンジ部６００の一端は、雌嵌合部５２０の第３側壁部５２４に繋がっている。雌嵌合部５２０を垂直方向から見た際には、雌嵌合部５２０は、第２ヒンジ部６００の働きによって、枝線配線部２００の第２側壁部２３０の第２部分２３３のうち、第２ヒンジ部６００の他端が繋がった接続箇所の周りに回動することが可能である。これにより、壁部５００全体が、当該接続箇所の周りに回動することが可能である。開いた状態の壁部５００が、枝線配線部２００の側面開口２３１に向かって、当該接続箇所の周りに回動すると、壁部５００は閉じて側面開口２３１を塞ぐようになる。以後、説明の便宜上、開いた状態の壁部５００が、枝線配線部２００の側面開口２３１に向かって回動する方向を「時計回り」と呼び、その反対方向を「反時計回り」と呼ぶ。
【００２７】
押圧部５１０はＭ字状を成している。具体的には、押圧部５１０は、互いに対向する二つの主面を有する板状部分を、一方の主面が外側に、他方の主面が内側になるようにＭ字状に曲げた形状を成している。押圧部５１０は、垂直方向から見た際にＭ字に見えるように雌嵌合部５２０に繋がっている。
【００２８】
図５に示されるように、Ｍ字状の押圧部５１０は、第１山部５１１及び第２山部５１２と、第１山部５１１と第２山部５１２の間に位置する谷部５１３と、第１山部５１１及び第２山部５１２にそれぞれ繋がった第１脚部５１４及び第２脚部５１５とを備えている。壁部５００が閉じられた状態においては、押圧部５１０では、枝線３の導入口２０３から導出口２０２に向けて、第１脚部５１４、第１山部５１１，谷部５１３、第２山部５１２及び第２脚部５１５の順で並ぶようになっている。第２脚部５１５における、第２山部５１２側とは反対側の一端は、雌嵌合部５２０の第２側壁部５２３の外面における、第３側壁部５２４寄りの部分に繋がっている。壁部５００が閉じられると、押圧部５１０と雌嵌合部５２０は、左右方向で隣り合って位置するようになる。押圧部５１０は、第１山部５１１及び第２山部５１２によって、枝線配線部２００の内面、具体的には枝線配線部２００の第１側壁部２２０の内面に枝線３を押し付ける。
【００２９】
係止解除部５３０は、板状部分がＬ字状に曲げられた形状を成しており、図５に示されるように、第１部分５３１と第２部分５３２とで構成されている。第１部分５３１は、雌嵌合部５２０の第４側壁部５２５と平行を成すように、押圧部５１０の第１脚部５１４における、第１山部５１１側とは反対側の一端での端面５１４ａから、雌嵌合部５２０の第１側壁部５２２を超えて延びている。第１部分５３１は、第１脚部５１４の端面５１４ａにおける内側半分に繋がっている。第２部分５３２は、第１部分５３１と垂直を成すように、当該第１部分５３１における、押圧部５１０側とは反対側の端部から雌嵌合部５２０側に延びている。
【００３０】
壁部５００では、押圧部５１０、雌嵌合部５２０及び係止解除部５３０の高さ（垂直方向の寸法）は同一となっている。また、押圧部５１０、雌嵌合部５２０及び係止解除部５３０の高さは、枝線配線部２００の第１側壁部２２０及び第２側壁部２３０の高さと同一となっている。
【００３１】
図４のように開いた状態の壁部５００が、枝線配線部２００の側面開口２３１に向かって（時計回りに）回動させられると、押圧部５１０は、その第１脚部５１４の外面が枝線配線部２００の第２側壁部２３０の第１部分２３２に当たりながら、第２側壁部２３０よりも内側に進んでいく。このとき、押圧部５１０は、第１脚部５１４の外面が枝線配線部２００の第２側壁部２３０の第１部分２３２に押されることによって、第１脚部５１４が第２脚部５１５に近づくように弾性変形する。そして、押圧部５１０の第１脚部５１４が第２側壁部２３０を超えると、押圧部５１０の弾性変形が解除されて、係止解除部５３０の第１部分５３１が第２側壁部２３０の第１部分２３２に当接するとともに、押圧部５１０の第１脚部５１４の端面５１４ａ（詳細には、端面５１４ａにおける、係止解除部５３０の第１部分５３１が繋がっていない領域）が第２側壁部２３０の第１部分２３２の内面と係止するようになる。これにより、壁部５００が枝線配線部２００の側面開口２３１を塞いだ状態が維持され、壁部５００がロック状態となる。
【００３２】
壁部５００が閉められた後、係止解除部５３０の第２部分５３２が上下方向に沿って雌嵌合部５２０側に移動させられると、係止解除部５３０の第１部分５３１が雌嵌合部５２０側に移動して、第１部分５３１に繋がった第１脚部５１４が第２脚部５１５に近づくように押圧部５１０が弾性変形する。これにより、第１脚部５１４の端面５１４ａと、第２側壁部２３０の第１部分２３２の内面との係止が解除されて、壁部５００が反時計回りに回動することが可能となり、壁部５００を開けることができる。
【００３３】
壁部５００が閉められた状態において、雄嵌合部７００が雌嵌合部５２０の挿入穴５２１に挿入されて蓋部３００が閉められると、当該蓋部３００に繋がった係止解除防止突起部８５０が、雌嵌合部５２０の第４側壁部５２５と係止解除部５３０の第１部分５３１との間の隙間に位置するようになる（図１参照）。これにより、蓋部３００が閉じた状態では、係止解除部５３０の第１部分５３１は雌嵌合部５２０側に移動できない。よって、蓋部３００が閉じた状態では、係止解除部５３０によって、第１脚部５１４の端面５１４ａと、第２側壁部２３０の第１部分２３２の内面との係止を解除することはできなくなる。つまり、蓋部３００が開いた状態でしか、壁部５００のロックは解除できないようになっている。
【００３４】
本実施の形態に係る押圧部５１０は、壁部５００が閉じた状態において、第１山部５１１及び第２山部５１２が互いに近づいて当該第１山部５１１及び当該第２山部５１２の高さが低くなるように弾性変形可能である。図６はその様子を示す図である。図６での波線は、押圧部５１０が弾性変形する前の形状を示している。図６に示されるように、壁部５００がロックした状態において、第１山部５１１及び第２山部５１２が互いに近づけられると、第１山部５１１及び第２山部５１２の高さは低くなる。言い換えれば、第１山部５１１及び第２山部５１２が互いに近づけられると、左右方向における、側面開口２３１から第１山部５１１の頂点までの距離と、左右方向における、側面開口２３１から第２山部５１２の頂点までの距離とは小さくなる。これにより、後述するように、第１山部５１１及び第２山部５１２が、枝線配線部２００の内面に対して、径の大きい枝線３を押し付ける場合であっても、その際の押し付け力を抑えることができる。
【００３５】
また、本実施の形態に係るプロテクタ１０には、枝線配線部２００に配線された枝線３を狭持する狭持部９００が設けられている。狭持部９００は、枝線配線部２００の導出口２０２付近において枝線３を狭持する。狭持部９００は、第１狭持突起部９１０と第２狭持突起部９２０とで構成されている。
【００３６】
第１狭持突起部９１０は、枝線配線部２００の第２側壁部２３０の第２部分２３３の内面から突出している。第１狭持突起部９１０における、枝線配線部２００の底部２１０からの高さは、第２側壁部２３０における底部２１０からの高さと同じである。第２部分２３３から突出する第１狭持突起部９１０の先端の端面は、枝線配線部２００の底部２１０に近づくほど枝線配線部２００の第１側壁部２２０に近づくように湾曲している（図２参照）。
【００３７】
第２狭持突起部９２０は、枝線配線部２００の第１側壁部２２０の内面の導出口２０２付近から突出している。第２狭持突起部９２０における底部２１０からの高さは、第１側壁部２２０における底部２１０からの高さと同じである。第１側壁部２２０から突出する第２狭持突起部９２０の先端の端面は枝線配線部２００の底部２１０に対して垂直を成している。第１狭持突起部９１０と第２狭持突起部９２０を垂直方向から見ると、それらは上下方向に少しずれて配置されている。
【００３８】
次に、プロテクタ１０をワイヤーハーネス１に取り付ける方法について説明する。本実施の形態では、ワイヤーハーネス１の枝線３は、湾曲するように枝線配線部２００に配線される。プロテクタ１０へのワイヤーハーネス１の取り付けは、作業者が手作業で行っても良いし、機械が自動的に行っても良い。
【００３９】
まず図７に示されるように、壁部５００及び蓋部３００を開けた状態で、ワイヤーハーネス１の幹線２を幹線配線部１００に配線するとともに、ワイヤーハーネス１の枝線３を枝線配線部２００に配線する。このとき、枝線３は狭持部９００によって狭持される。本実施の形態に係る枝線３では、チューブ状部材で電線が覆われているため、そのチューブ状部材が狭持部９００によって狭持されて変形する。このとき、当該チューブ状部材で覆われた電線は変形しない方が好ましい。
【００４０】
次に図８に示されるように、壁部５００を時計回りに回動して壁部５００を閉めると、壁部５００の押圧部５１０の第１山部５１１及び第２山部５１２が、狭持部９００で狭持された枝線３を、枝線配線部２００の第１側壁部２２０の内面に対して押し付けるようになる。言い換えれば、押圧部５１０と枝線配線部２００の内面とで、狭持部９００で狭持された枝線３が狭持されるようになる。その結果、枝線３が蛇行するようになる。枝線３のチューブ状部材は、枝線３が押圧部５１０によって第１側壁部２２０に押し付けられることによって変形する。このとき、当該チューブ状部材で覆われた電線は変形しない方が好ましい。本実施の形態では、垂直方向から見ると（プロテクタ１０を上面側から見ると）、押圧部５１０と第１側壁部２２０とが枝線３を狭持する位置と、狭持部９００が枝線３を狭持する位置とは、上下方向及び左右方向のそれぞれにおいてずれていることから、狭持部９００で狭持されている枝線３を、押圧部５１０によって第１側壁部２２０に押し付けることによって、枝線３は垂直方向から見ると蛇行するようになる。
【００４１】
このように、枝線３をプロテクタ１０に配線する際に、枝線３を複数箇所で狭持して蛇行させることによって、プロテクタ１０内での枝線３の位置がずれることを抑制することができる。したがって、幹線２からの枝線３の長さが変化することを抑制することができる。幹線２からの枝線３の長さが変化すると、接続対象の部品までの枝線３の長さが足りなくなったり、逆に枝線３の長さが余り不要なたるみが生じたりする。したがって、本実施の形態のように、枝線３の位置がずれることを抑制して、幹線２からの枝線３の長さが変化することを抑制することによって、接続対象の部品までの枝線３の長さが足りなくなったり、逆に枝線３の長さが余り不要なたるみが生じたりすることを抑制することができる。
【００４２】
また、本実施の形態では、押圧部５１０は、第１山部５１１及び第２山部５１２が互いに近づいて当該第１山部５１１及び当該第２山部５１２の高さが低くなるように変形可能であることから、枝線３の径が大きい場合であっても、押圧部５１０が枝線３を第１側壁部２２０に押し付ける力が大きくなることを抑制できる。
【００４３】
図９は、押圧部５１０が、径の大きい枝線３を第１側壁部２２０に押し付けている様子を示す図である。図９に示されるように、押圧部５１０は、径の大きい枝線３を枝線配線部２００の内面に押し付ける際には、第１山部５１１及び第２山部５１２が互いに近づいて当該第１山部５１１及び当該第２山部５１２の高さが低くなるように変形する。そして、押圧部５１０では、枝線３の径が大きいほど、第１山部５１１及び第２山部５１２の距離が小さくなって、第１山部５１１及び第２山部５１２の高さが小さくなる。これにより、枝線３の径が大きい場合には、押圧部５１０の第１山部５１１及び第２山部５１２と、第１側壁部２２０の内面との間の距離が大きくなることから、押圧部５１０の第１山部５１１及び第２山部５１２が枝線３を第１側壁部２２０に押し付ける力が大きくなることを抑制することができる。よって、枝線３が損傷することを抑制することができる。また、枝線３の径が大きいために壁部５００が閉まらないといったことが発生することを抑制することができる。
【００４４】
なお、上述の図８においては、枝線３の径が小さく、押圧部５１０がほとんど弾性変形していない様子が示されている。
【００４５】
壁部５００を閉めて枝線３を蛇行させた後、雄嵌合部７００を雌嵌合部５２０に嵌合させて蓋部３００を閉めると、図１に示されるプロテクタ付きワイヤーハーネス１が完成する。
【００４６】
以上のように、本実施の形態では、壁部５００を閉めることによって、枝線配線部２００にすでに配線された枝線３を蛇行することができる。したがって、上述の特許文献１の技術を使用する場合のように枝線３を蛇行させながらプロテクタ１０内に配線する場合と比較して、簡単に、枝線３が蛇行するようにプロテクタ１０をワイヤーハーネス１に取り付けることができる。よって、プロテクタ１０をワイヤーハーネス１に取り付ける際の作業性が向上する。
【００４７】
また、本実施の形態に係る壁部５００においては、内側部分に押圧部５１０が位置し、外側部分に雌嵌合部５２０が位置するため、壁部５００の高さまで押圧部５１０を高くすることができる。押圧部５１０を雌嵌合部５２０の下側に設けて、押圧部５１０と雌嵌合部５２０を垂直方向に並べることも可能であるが、この場合には、壁部５００の高さは、押圧部５１０の高さと雌嵌合部５２０の高さとを足し合わせたものとなる。したがって、この場合には、押圧部５１０を壁部５００の高さまで高くできない。本実施の形態のように、壁部５００の高さまで押圧部５１０を高くすることができるようにすることによって、枝線３をしっかりと第１側壁部２２０に対して押し付けることができる。よって、枝線３の位置がずれることをさらに抑制することができる。
【００４８】
なお、上記の例では、枝線３においては、電線がチューブ状部材で覆われていたが、電線をテープやチューブ状部材で覆わなくても良い。この場合には、狭持部９００は枝線３の電線を直接狭持することになり、押圧部５１０は第１側壁部２２０に対して枝線３の電線を直接押し付けることになる。
【符号の説明】
【００４９】
１  ワイヤーハーネス
２  幹線
３  枝線
１０  ワイヤーハーネス用プロテクタ
２００  枝線配線部
２０１，２０３  開口
３００  蓋部
５００  壁部
５１０  押圧部
５１１  第１山部
５１２  第２山部
５２０  雌嵌合部
６００  第２ヒンジ部
７００  雄嵌合部
８００  ロック部
９００  狭持部
【図１】
2014023380.tif 000003
【図２】
2014023380.tif 000004
【図３】
2014023380.tif 000005
【図４】
2014023380.tif 000006
【図５】
2014023380.tif 000007
【図６】
2014023380.tif 000008
【図７】
2014023380.tif 000009
【図８】
2014023380.tif 000010
【図９】
2014023380.tif 000011